(57)【要約】【課題】　ファインダ視野内の視認性を良好とすることができる、スーパーインポーズ表示機能を備えたカメラを提供する。【解決手段】　複数の焦点検出領域のうち選択された焦点検出領域に対して照明光を照射して、この焦点検出領域をファインダ視野内にスーパーインポーズ表示させるカメラにおいて、焦点検出領域が、この外枠を形成し、被写体光束の一部を透過させる枠線領域３ａ〜３ｇと、この枠線領域３ａ〜３ｇの内側に設けられ、照明光を反射させて撮影者の目に導くための反射領域３ｈ〜３ｎとで構成されている。【選択図】　図３
2004102318.tif 000002
【特許請求の範囲】
【請求項１】
複数の焦点検出領域のうち選択された焦点検出領域に対して照明光を照射して、この焦点検出領域をファインダ視野内にスーパーインポーズ表示させるカメラにおいて、
　前記焦点検出領域が、
　この外枠を形成し、被写体光束の一部を透過させる枠線領域と、
　この枠線領域の内側に設けられ、照明光を反射させて撮影者の目に導くための反射領域とで構成されていることを特徴とするカメラ。
【請求項２】
前記反射領域が、前記焦点検出領域の略中央に設けられていることを特徴とする請求項１に記載のカメラ。
【請求項３】
複数の焦点検出領域のうち選択された焦点検出領域に対して照明光を照射して、この焦点検出領域をファインダ視野内にスーパーインポーズ表示させるカメラにおいて、
　前記焦点検出領域が、この外枠を形成し、被写体光束の一部を透過させる枠線領域と、照明光を反射させて撮影者の目に導くための反射領域とで構成されており、
　前記枠線領域の一部が切り欠かれ、この切り欠かれた領域内に前記反射領域が設けられていることを特徴とするカメラ。
【請求項４】
前記反射領域が点状に形成されていることを特徴とする請求項３に記載のカメラ。
【請求項５】
前記枠線領域が、互いに向かい合う２組の辺を有しており、これらの辺のうち一辺の略中央が切り欠かれていることを特徴とする請求項３に記載のカメラ。
【請求項６】
前記反射領域は、この表面において反射蒸着処理が施されていることを特徴とする請求項１から４のいずれかに記載のカメラ。
【請求項７】
前記反射蒸着処理された領域が略円形状に形成されていることを特徴とする請求項６に記載のカメラ。
【請求項８】
前記反射蒸着処理された領域の径が０．２ｍｍ未満であることを特徴とする請求項７に記載のカメラ。
【請求項９】
前記反射領域が、照明光を反射させる複数の微細プリズムで構成されていることを特徴とする請求項１から４のいずれかに記載のカメラ。
【発明の詳細な説明】
【技術分野】
【０００１】
　本発明は、ファインダ視野内に設けられた複数の焦点検出領域のうち選択された焦点検出領域を表示するスーパーインポーズ表示機能を有するカメラに関するものである。
【背景技術】
【０００２】
　従来、スーパーインポーズ表示機能を有するカメラが知られている（例えば、特許文献１、２参照）。このような従来のカメラでは、ペンタプリズム前方に配置された照明手段からの光束を、投光レンズを介してハーフミラーで構成されたクイックリターンミラーで反射させフォーカシングスクリーン上に配置された複数の表示部を照明している。
【０００３】
　また、ペンタプリズムの前頭部に照明手段を設け、この照明手段からの照明光をペンタプリズム内を透過させてフォーカシングスクリーン上に設けられた表示体を照射する表示体観察装置がある（例えば、特許文献３参照）。
【０００４】
　さらに、シャッタースピードや絞り値を表示するファインダー内の情報表示部に測距点に対応する測距点表示部を設けた光学装置がある（例えば、特許文献４参照）。
【特許文献１】特開平１−２７７２２５号公報
【特許文献２】特開平５−３３３２５９号公報
【特許文献３】特開平４−２７８９３１号公報
【特許文献４】特開平１０−０４８７３３号公報
【発明の開示】
【発明が解決しようとする課題】
【０００５】
　しかしながら、上述した特許文献１、２におけるカメラでは、照明手段からフォーカシングスクリーンまでの光路が長く、照明手段からの光束が投光レンズやメインミラー等によって何度も屈折、反射を繰り返すうえに、メインミラーがハーフミラーで構成されているため、導光効率がかなり悪いものとなってしまう。
【０００６】
　しかも、上述したカメラでは、投光レンズ等の配置スペースが必要になるとともに、照明手段から射出される光束の調整作業が必要になるため、カメラの大型化、コストアップおよび生産性の低下を招いてしまう。
【０００７】
　一方、焦点検出枠全体をＬＥＤ光で照明する場合、明るいところでの撮影においては問題ないが、暗いところでの撮影においては、ＬＥＤ光により光る部分がファインダ視野内で大きな影響を与えるため、ファインダを覗く撮影者にとってファインダ内の表示が煩わしく見えてしまうことがある。
【０００８】
　特許文献３における表示体観察装置では、ペンタプリズムを透過させてフォーカシングスクリーンを照明しているので、光路が短くなり導光効率は良くなるが、照明手段をペンタプリズムの前頭部に配置しているので、ペンタプリズム前頭部に内蔵式の閃光発光装置を配置することが困難となってしまう。
【０００９】
　また、フォーカシングスクリーン上の表示体はミラー面で構成されており、被写体光を透過させることがないため、観察者がファインダを覗いたときに、被写体像のうち表示体に応じた部分がブラックアウトされてしまう。例えば、フォーカシングスクリーン上の表示体が二本線や、十字などの形状に形成されている場合には、この表示体の形状に応じて被写体像が見ずらくなってしまう。
【００１０】
　特許文献４における光学装置では、ファインダ視野外にシャッタースピードや絞り値を表示する既存のファインダ内情報表示部に測距点に対応する測距点表示部を設けているので、コストアップすることなく選択された測距点を表示することができる。しかし、ファインダ視野内に表示される実際の測距点とは表示位置が離れているため、測距点の視認性が良いとはいえない。
【００１１】
　そこで、本発明は、上述した課題を解決し、低コスト、小型化、照明光の調整を不要とすることによる生産性の向上、撮影者に違和感を与えずに視認性の良いスーパーインポーズを実現することを目的とする。
【課題を解決するための手段】
【００１２】
　本願第１の発明は、複数の焦点検出領域のうち選択された焦点検出領域に対して照明光を照射して、この焦点検出領域をファインダ視野内にスーパーインポーズ表示させるカメラにおいて、焦点検出領域が、この外枠を形成し、被写体光束の一部を透過させる枠線領域と、この枠線領域の内側に設けられ、照明光を反射させて撮影者の目に導くための反射領域とで構成されていることを特徴とする。
【００１３】
　すなわち、焦点検出領域内（枠線領域で囲まれた領域内）に設けられた反射領域で照明光を反射させて撮影者の目に導くようにすることにより、ファインダ視野内における視認性を向上させるようにしている。
【００１４】
　具体的には、選択された焦点検出領域をスーパーインポーズ表示させる場合には、反射領域だけを高輝度で点灯させることにより、選択された焦点検出領域を撮影者に認識させるようにしている。また、被写体像をスーパーインポーズ表示のない通常の状態で観察する場合には、反射領域だけをブラックアウトさせて、被写体像が見づらくなるのを防止している。
【００１５】
　本願第２の発明は、複数の焦点検出領域のうち選択された焦点検出領域に対して照明光を照射して、この焦点検出領域をファインダ視野内にスーパーインポーズ表示させるカメラにおいて、焦点検出領域が、この外枠を形成し、被写体光束の一部を透過させる枠線領域と、照明光を反射させて撮影者の目に導くための反射領域とで構成されており、枠線領域の一部が切り欠かれ、この切り欠かれた領域内に反射領域が設けられていることを特徴とする。本発明においても、本願第１の発明と同様の効果を得ることができる。
【００１６】
　ここで、反射領域の表面に反射蒸着処理が施して、照明光を反射させるようにすることができる。また、反射蒸着処理された領域を略円形状に形成したり、この領域の径を０．２ｍｍ未満としたりすることができる。
【発明の効果】
【００１７】
　本発明によれば、焦点検出領域内（枠線領域で囲まれた領域内）に設けられた反射領域で照明光を反射させて撮影者の目に導くようにすることにより、ファインダ視野内における視認性を向上させるようにしている。
【００１８】
　具体的には、選択された焦点検出領域をスーパーインポーズ表示させる場合には、反射領域だけを高輝度で点灯させることにより、選択された焦点検出領域を撮影者に認識させることができる。また、被写体像をスーパーインポーズ表示のない通常の状態で観察する場合には、反射領域だけをブラックアウトさせて、被写体像が見づらくなるのを防止することができる。
【発明を実施するための最良の形態】
【００１９】
　以下、本発明の実施例について説明する。
【実施例１】
【００２０】
　以下、図面等を参照して本発明の実施例１であるカメラについて説明する。
【００２１】
　図１は本実施例におけるカメラの中央縦断面図である。不図示の撮影光学系（結像光学系）を介した被写体光Ｌは、メインミラー（ハーフミラー）２が図１に示すように観察位置（ミラーダウン位置）にあるときには、メインミラー２で反射してファインダ光学系に導かれる。一方、メインミラー２が撮影光路から退避しているときには、被写体光Ｌは、フォーカルプレンシャッタ（シャッタ）７を通過した後、フィルムＦにおいて結像されるようになっている。
【００２２】
　フォーカシングスクリーン３は、撮影光学系の予定結像面に配置されており、この上面はマット面３ａで構成され、被写体像が投影される。また、フォーカシングクリーン３の下側は被写体光を集光するフレネル面３ｂで構成されている。なお、フォーカシングスクリーン３上には、後述するように７つの焦点検出領域が形成されている。
【００２３】
　中空ペンタ４及び第３反射ミラー５は、フォーカシングスクリーン３に投影された被写体像を正立正像に変更して接眼レンズ群６に導く。撮影者は、接眼レンズ群６を介して被写体像を観察することができる。
【００２４】
　接眼レンズ群６の上部には、被写体輝度を測定するための公知の測光レンズ８と測光センサ９とが配置されている。接眼レンズ群６の下部には、ファインダ視野外に撮影情報を表示するためのファインダ内情報表示用のＬＣＤ１０と、ファインダ内情報表示用のＬＥＤ１１と、ＬＣＤ１０の透過光をファインダに導くための三角プリズム１２とが配置されている。
【００２５】
　中空ペンタ４と測光レンズ８の間には、スーパーインポーズ表示用の照明機構が配置されており、詳細は図２及び図３を用いて後述する。
【００２６】
　メインミラー２の背後にはサブミラー１３があり、このサブミラー１３はメインミラー２を透過した光束をカメラ本体１の下側に配置された焦点検出装置１５へ向けて反射する。焦点検出装置１５は、結像面近傍に配置されたフィールドレンズ１５ａ、反射ミラー１５ｂ、絞り１５ｃ、２次結像レンズ１５ｄ、ＡＦセンサ１５ｆで構成されている。
【００２７】
　本実施例における焦点検出装置１５は、公知の位相差検出方式を用いて焦点調節状態を検出しており、図４に示すように観察画面内（ファインダ視野内）の複数領域（７箇所）を焦点検出領域としている。
【００２８】
　アクセサリシュー１７は、カメラ本体１の上面でレンズ光軸の真上に設けられており、このアクセサリシュー１７には外付けの閃光発光装置等のカメラアクセサリを装着することができる。アクセサリシュー１７に外付けの閃光発光装置を装着することにより、カメラ本体１は閃光発光装置との相互通信が可能となる。
【００２９】
　カメラ本体１に備え付けられた閃光発光装置の発光部２０は、電気エネルギを光エネルギに変換するＸｅ管２０ａと、Ｘｅ管２０ａで発光した光を被写体側に効率良く集光させるための反射傘２０ｂ及びパネル２０ｃと、Ｘｅ管２０ａに発光を開始させるための電圧を印加するトリガーコイル２０ｄとで構成されている。
【００３０】
　閃光発光装置の発光部２０は、非使用時には図１に示すように中空ペンタ４の前頭部に収納されており、使用時には、不図示のヒンジ軸を回転中心として図１中において時計方向に回動することで、カメラ本体１の上方にポップアップする。
【００３１】
　図２は、本実施例におけるスーパーインポーズ表示用の照明機構の分解斜視図である。スーパーインポーズ照明用のＬＥＤ３０は、フォーカシングスクリーン３上に形成された７つの焦点検出領域に対応して設けられた７つのチップタイプＬＥＤ（ＬＥＤ−Ｃ＿３０ａ、ＬＥＤ−Ｌ１＿３０ｂ、ＬＥＤ−Ｌ２＿３０ｃ、ＬＥＤ−Ｒ１＿３０ｄ、ＬＥＤ−Ｒ２＿３０ｅ、ＬＥＤ−Ｔ＿３０ｆ、ＬＥＤ−Ｂ＿３０ｇ）で構成されている。
【００３２】
　拡散板３１は、スーパーインポーズ照明用のＬＥＤ３０からの照明光を拡散して、照明範囲を広げると共に、ＬＥＤ３０の製造上で形成されたワイヤーボンディングの影などが照明する際に見難くする働きをする。絞り３２は、スーパーインポーズ照明用のＬＥＤ３０からの不用な照明光によりゴーストが発生するのを防止している。
【００３３】
　スーパーインポーズ用のプリズム３３は、反射面３３ａにおいて反射蒸着処理が施されており、この反射面３３ａはＬＥＤ３０からの照明光を反射させて中空ペンタ４の開口部４ａから中空ペンタ４内に導いている。そして、ＬＥＤ３０ａ〜３０ｇの照明光はそれぞれ、フォーカシングスクリーン３上に形成された各焦点検出領域に照射される。
【００３４】
　ＬＥＤ３０からの照明光は、図１に示すように中空ペンタ４に対してカメラ本体１の背面側から照射されるようになっているとともに、中空ペンタ４内を通過してフォーカシングスクリーン３上に導かれるようになっている。このような構成によりＬＥＤ３０の照明光の光路が短くなるため、導光効率が良好になる。
【００３５】
　図３は、実際にスーパーインポーズ照明用のＬＥＤ３０からの照明光がフォーカシングスクリーン３の各焦点検出枠部分を照明する様子を示した斜視図である。同図において、中空ペンタ４と第３反射ミラー５は、これらの中央で切断した断面として表示している。また、同図の下側には、フォーカシングスクリーン３の中央に形成された中央焦点検出枠３ａを拡大したものを示している。
【００３６】
　同図において、ＬＥＤ−Ｃ＿３０ａは中央焦点検出枠３ａ近傍を照明している。同様に、ＬＥＤ−Ｌ１＿３０ｂは左中焦点検出枠３ｂ近傍を、ＬＥＤ−Ｌ２＿３０ｃは左焦点検出枠３ｃ近傍を、ＬＥＤ−Ｒ１＿３０ｄは右中焦点検出枠３ｄ近傍を、ＬＥＤ−Ｒ２＿３０ｅは右焦点検出枠３ｅ近傍を、ＬＥＤ−Ｔ＿３０ｆは上焦点検出枠３ｆ近傍を、ＬＥＤ−Ｂ＿３０ｇは下焦点検出枠３ｇ近傍を、それぞれ照明している。
【００３７】
　ここで、ＬＥＤ３０ａ〜３０ｇの照明光はそれぞれ、製造上の公差によるズレを補うように、焦点検出枠３ａ〜３ｇを略包括又は焦点検出枠全体をカバーするように照射している。
【００３８】
　ＬＥＤ３０ａ〜３０ｇの照明光はそれぞれ、各焦点検出枠３ａ、３ｂ、３ｃ、３ｄ、３ｅ、３ｆ、３ｇの中央に設けられ、各焦点検出枠３ａ〜３ｇで囲まれた領域よりも小さい領域である反射領域３ｈ、３ｉ、３ｊ、３ｋ、３ｌ、３ｍ、３ｎで反射される。この反射光は、中空ペンタ４、第３反射ミラー５、接眼レンズ群６を介して観察される。
【００３９】
　ここで、ＬＥＤ３０は、基本的には焦点検出枠３ａ〜３ｇ内に設けられた小面積の反射領域３ｈ〜３ｎを照明するだけでよく、また、上述したようにＬＥＤ３０の照明光の光路が短くなるため、照明系（ＬＥＤ３０等）の小型化を図ることが可能になる。さらに、反射領域３ｈ〜３ｎを焦点検出枠３ａ〜３ｇの中央に設けることで、ＬＥＤ３０からの照明光が多少ずれても反射領域３ｈ〜３ｎを確実に照明することができるため、ＬＥＤ３０の照明光の調整を行う必要がなくなる。
【００４０】
　図３中下側に示す拡大図を見れば解るように、中央焦点検出枠３ａの中央に設けられた反射領域３ｈは、スーパーインポーズ照明用のＬＥＤ３０ａの照明光を、中空ペンタ４及び第３反射ミラー５を介して撮影者の目に導くように反射させている。この反射領域３ｈは、同一形状に形成された複数の微細反射面３ｈＳの集合体で構成されており、この微細反射面３ｈＳは、フォーカシングスクリーン３の面に対して所定の角度をもって形成されている。
【００４１】
　ここで、反射領域全体を一つの面によって構成した場合、反射領域は上述したように所定の角度を持って形成しなければならず、この場合には反射領域の両端において高低差が大きくなるため、反射蒸着処理が不均一になり、輝度ムラが生じてしまう。
【００４２】
　このため、本実施例のように一つの反射領域を、同一反射角度を持つ微細反射面の集合体として構成することにより、上述した高低差の影響を少なくしている。ここで、各焦点検出枠の中央に形成された各微細反射面のフォーカシングスクリーン３に対する傾き角度は、撮影者が微細反射面で反射した光を良好に見ることができるように各々最適な角度に設定されている。
【００４３】
　また、ＬＥＤ３０からの照明光に対して焦点検出枠３ａ〜３ｇで反射光成分を生成しないように、焦点検出枠３ａ〜３ｇのプリズム稜線がＬＥＤ３０の照明光に対して略平行となるように形成されている。これにより、被写体光が低輝度である場合（観察環境が暗い場合）でも、焦点検出枠全体は光らず、焦点検出枠３ａ〜３ｇの中央に配置された反射領域３ｈ〜３ｎのみが光るため、従来技術のように反射光成分が多くなることでファインダ内が煩わしく感じといったことがなくなる。
【００４４】
　図４は、図３と同様にスーパーインポーズ照明用のＬＥＤ３０がフォーカシングスクリーン３の各焦点検出枠を照明する様子を示したものである。同図の下側には、ファインダを覗いた撮影者から見て左（中空ペンタ４によって左右が反転して正像となるため）に位置する左焦点検出枠３ｃを拡大したものを示している。なお、図４において、図３と同じ部材については同じ符号を記している。
【００４５】
　図４下側に示す拡大図を見れば解るように、左焦点検出枠３ｃの中央に設けられた反射領域３ｊは、スーパーインポーズ照明用のＬＥＤ３０ｃの照明光を、中空ペンタ４及び第３反射ミラー５を介して撮影者の目に導くように反射させている。この反射領域３ｊは、反射領域３ｈと同様に同一形状に形成された複数の微細反射面の集合体で構成されており、この微細反射面はフォーカシングスクリーン３の面に対して所定の角度をもって形成されている。
【００４６】
　しかし、左焦点検出枠３ｃの反射領域３ｊは、中央焦点検出枠３ａの反射領域３ｈと異なり、左焦点検出枠３ｃの長手方向に対して角度θだけ傾いている。そして、スーパーインポーズ照明用のＬＥＤ３０ｃの照明光と、微細反射面の長手方向とが略直交するようになっている。
【００４７】
　これは、ファインダ光軸（中央焦点検出枠３ａ）を中心として左右に存在する焦点検出枠の反射領域における微細反射面を、中央焦点検出枠３ａの反射領域３ｈと同様に水平垂直配列のまま配置しようとする場合、ＬＥＤ３０の照明光を撮影者の目に導くようにするために、２軸に傾ける必要がある。このように２軸に傾ける場合、反射領域における反射面の形状が異型になり、焦点検出枠の位置によって反射領域の大きさが変化してしまい、輝度ムラが生じてしまう。
【００４８】
　これを防止するために、本実施例では、ファインダ光軸（中央焦点検出枠３ａ）を中心として左右に存在する各焦点検出枠の反射領域を、焦点検出枠の長手方向に対して所定角度θだけ傾かせている。これにより、１軸の傾きだけを最適な角度に変更するだけで、ＬＥＤ３０の照明光を正確に撮影者の目に導かせることができ、各焦点検出枠の反射領域の大きさのバラツキを防止することができる。
【００４９】
　図５は、本実施例のカメラにおけるファインダ画面である。ファインダ画面内には、焦点検出装置１５の焦点検出領域に対応した７つの焦点検出枠３ａ、３ｂ、３ｃ、３ｄ、３ｅ、３ｆ、３ｇが表示されるようになっている。
【００５０】
　撮影者は、中空ペンタ４及び第３反射ミラー５を介してフォーカシングスクリーン３上の焦点検出枠３ａ〜３ｇを見ることになるので、ファインダ画面上で観察される焦点検出枠３ａ〜３ｇは、図３における焦点検出枠３ａ〜３ｇの配置に対して左右が反転した位置関係となる。
【００５１】
　スーパーインポーズ照明用のＬＥＤ３０からの照明光は、各焦点検出枠内の反射領域３ｈ、３ｉ、３ｊ、３ｋ、３ｌ、３ｍ、３ｎに対して、これらの領域をカバーするように、かつ、１つの焦点検出枠の周囲に配置された焦点検出枠の反射領域を照明しないような光束で投光されている。
【００５２】
　そして、スーパーインポーズ照明用のＬＥＤ３０からの照明光における余剰分の光によって焦点検出枠３ａ〜３ｇを構成するプリズムが無意味に光らないように、このプリズム稜線がＬＥＤ３０の照明光の光軸に対して略平行となるように形成されている。
【００５３】
　ここで、焦点検出枠３ａ〜３ｇのプリズムは被写体光Ｌの一部を透過させるので、このプリズムを通過した被写体光Ｌは、フォーカシングスクリーン３における焦点検出枠周囲のマット部を通過する被写体光Ｌより暗い半透過状態として撮影者に観察される。これにより、撮影者はファインダ画面において焦点検出枠３ａ〜３ｇを判別することができる。
【００５４】
　一方、各焦点検出枠３ａ〜３ｇの中央に設けられた反射領域３ｈ〜３ｎの表面には、例えばアルミニウムやクロムといった金属による反射蒸着処理が施されている。このため、反射領域３ｈ〜３ｎにおいては、被写体光Ｌを透過することがほとんどない。したがって、反射領域３ｈ〜３ｎは、ファインダ画面内において黒点として認識される。
【００５５】
　これにより、撮影者がファインダを覗いてスーパーインポーズ表示のない通常の被写体像を観察する場合には、上述したように反射領域３ｈ〜３ｎが黒点として認識されるだけであるため、従来技術のように被写体像が見づらくなることもない。
【００５６】
　この反射領域３ｈ〜３ｎは、ＬＥＤ３０からの照明光を反射させるときには、ファインダを覗く撮影者に対して認識し易いものである必要があり、また、撮影者が被写体画像を通常の状態として観察するときには反射領域３ｈ〜３ｎが観察の邪魔にならないようになっている必要がある。したがって、反射領域３ｈ〜３ｎの大きさは、上述した条件を満たす大きさである必要がある。具体的には、反射領域３ｈ〜３ｎの大きさをφ０．２ｍｍ未満とすることが好ましい。
【００５７】
　図５において、ファインダ画面の下側には、シャッタースピードや絞り、閃光発光装置の充電完了表示などの撮影に関して必要な情報を表示するファインダ内情報表示部がある。
【００５８】
　図６は、各焦点検出枠３ａ〜３ｇの中央にある７点の反射領域３ｈ〜３ｎのみを取り出して表示した図である。
【００５９】
　各反射領域３ｈ〜３ｎでは、横４０ｕｍ、縦２５ｕｍの微細反射面を、φ０．２ｍｍ未満の円形が収まるように千鳥状に配列している。そして、各反射領域３ｈ〜３ｎには、この反射領域に収まる円形領域３ｏ、３ｐ、３ｑ、３ｒ、３ｓ、３ｔ、３ｕ（図中斜線で表記）において金属による反射蒸着処理が施されている。
【００６０】
　ＬＥＤ３０からの照明光が反射領域３ｈ〜３ｎに照射されると、この反射蒸着処理された円形領域３ｏ〜３ｕにおいて照明光が反射される。
【００６１】
　ここで、反射蒸着処理が施されている領域を円形としているのは、以下の理由による。すなわち、図４で説明したように、ファインダ光軸（中央焦点検出枠３ａ）に対して左右に位置する焦点検出枠においては、この反射領域を焦点検出枠の長手方向に対して所定角度θで傾かせて配置させているため、各反射領域３ｈ〜３ｎにおける反射面形状のバラツキを最小限に抑えるために円形としている。
【００６２】
　また、領域３ｏ〜３ｕには蒸着処理が施されるが、このときマスクに対して蒸着の回り込みが発生するので、蒸着領域の形状の乱れを最小限に抑えるために、蒸着領域を略円形とすることが好ましいからである。
【００６３】
　一方、円形領域３ｏ〜３ｕの面積を反射領域３ｈ〜３ｎの面積よりも一回り小さくすることにより、反射領域３ｈ〜３ｎに対して蒸着作業を行うに際して蒸着領域の位置ズレを許容することができる。
【００６４】
　図７は、反射領域３ｈの縦断面拡大図を示す。反射領域３ｈは、上述したように同一形状の微細反射面３ｈＳの集合体として形成されている。フォーカシングスクリーン３の表面に対して傾きをもった斜面３ｈＲが実際の反射面であり、この斜面３ｈＲの傾き角度は、スーパーインポーズ照明用のＬＥＤ３０から投光された光束が撮影者の目に導かれるような角度で形成されている。
【００６５】
　なお、本実施例では、反射領域３ｈ〜３ｎを焦点検出枠３ａ〜３ｇの中央に配置しているが、焦点検出枠３ａ〜３ｇ内のいずれの位置に設けるようにしてもよい。
【実施例２】
【００６６】
　本発明の実施例２であるカメラについて説明する。
【００６７】
　図８は、本実施例のカメラにおいて、実際にスーパーインポーズ照明用のＬＥＤ３９からの照明光がフォーカシングスクリーン４０の各焦点検出枠部分を照明する様子を示したものである。同図において、中空ペンタ４と第３反射ミラー５は、これらの中央で切断した断面として表示している。また、同図の下側には、フォーカシングスクリーン４０の中央に形成された中央焦点検出枠４０ａを拡大したものを示している。
【００６８】
　同図において、ＬＥＤ−Ｃ＿３９ａは、中央焦点検出枠４０ａ近傍を照明している。同様に、ＬＥＤ−Ｌ１＿３９ｂは左中焦点検出枠４０ｂ近傍を、ＬＥＤ−Ｌ２＿３９ｃは左焦点検出枠４０ｃ近傍を、ＬＥＤ−Ｒ１＿３９ｄは右中焦点検出枠４０ｄ近傍を、ＬＥＤ−Ｒ２＿３９ｅは右焦点検出枠４０ｅ近傍を、ＬＥＤ−Ｔ＿３９ｆは上焦点検出枠４０ｆ近傍を、ＬＥＤ−Ｂ＿４０ｇは下焦点検出枠４０ｇ近傍を、それぞれ照明している。
【００６９】
　ここで、ＬＥＤ３９ａ〜３９ｇの照明光はそれぞれ、製造上の公差によるズレを補うように、焦点検出枠４０ａ〜４０ｇを略包括又は焦点検出枠全体をカバーするように照射している。
【００７０】
　また、各焦点検出枠４０ａ、４０ｂ、４０ｃ、４０ｄ、４０ｅ、４０ｆ、４０ｇの枠線のうち一辺が切断されており、この切断領域に反射領域４０ｈ、４０ｉ、４０ｊ、４０ｋ、４０ｌ、４０ｍ、４０ｎが配置されている。
【００７１】
　ＬＥＤ３９ａ〜３９ｇそれぞれからの照明光は、反射領域４０ｈ、４０ｉ、４０ｊ、４０ｋ、４０ｌ、４０ｍ、４０ｎで反射され、この反射光は中空ペンタ４、第３反射ミラー５及び接眼レンズ群６を介して観察される。
【００７２】
　ここで、ＬＥＤ３９は、焦点検出枠４０ａ〜４０ｇ内に設けられた小面積の反射領域４０ｈ〜４０ｎを照明するだけでよく、また、実施例１と同様にＬＥＤ３９の照明光の光路が短くなるため、照明系（ＬＥＤ３９等）の小型化を図ることが可能になる。さらに、反射領域４０ｈ〜４０ｎを焦点検出枠４０ａ〜４０ｇの切断領域の中央に設けることで、ＬＥＤ３９からの照明光が多少ずれても反射領域４０ｈ〜４０ｎを確実に照明することができるため、ＬＥＤ３９の照明光の調整を行う必要がなくなる。
【００７３】
　図８下側の拡大図を見れば解るように、中央焦点検出枠４０ａの枠線のうち切断された枠線の延長線上には反射領域４０ｈが設けられている。この反射領域４０ｈは、スーパーインポーズ照明用のＬＥＤ３９ａの照明光を、中空ペンタ４及び第３反射ミラー５を介して撮影者の目に導くように反射させている。
【００７４】
　この反射領域４０ｈは、同一形状に形成された複数の微細反射面４０ｈＳの集合体で構成されており、この微細反射面４０ｈＳは、フォーカシングスクリーン４０の面に対して所定の角度をもって形成されている。
【００７５】
　ここで、反射領域全体を一つの反射面として構成した場合、反射領域は上述したように所定の角度をもって形成しなければならず、この場合には反射領域の両端において高低差が大きくなるため、後述するように反射蒸着処理が不均一になり輝度ムラが生じてしまう。
【００７６】
　このため、本実施例のように一つの反射領域を、同一反射角度を持つ微細反射面の集合体として構成することにより、上述した高低差の影響を少なくしている。ここで、各焦点検出枠の一辺側に形成された反射領域における微細反射面のフォーカシングスクリーン４０に対する傾き角度は、撮影者が微細反射面で反射した光を良好に見えることができるように各々最適な角度に設定されている。
【００７７】
　また、ＬＥＤ３９からの照明光に対して焦点検出枠で反射光成分を生成しないように、焦点検出枠のプリズム稜線がＬＥＤ３９の照明光に対して略平行となるように形成されている。これにより、被写体光が低輝度である場合（観察環境が暗い場合）でも、焦点検出枠全体は光らず、焦点検出枠４０ａ〜４０ｇの切断領域の中央に配置された反射領域４０ｈ〜４０ｎのみが光るため、従来技術のように反射光成分が多くなることでファインダ内が煩わしく感じといったことがなくなる。
【００７８】
　図９は、本実施例のカメラにおけるファインダ画面である。ファインダ画面内には、焦点検出装置１５の焦点検出領域に対応した７つの焦点検出枠４０ａ、４０ｂ、４０ｃ、４０ｄ、４０ｅ、４０ｆ、４０ｇが表示されるようになっている。
【００７９】
　撮影者は、中空ペンタ４及び第３反射ミラー５を介してフォーカシングスクリーン４０上の焦点検出枠４０ａ〜４０ｇを見ることになるので、ファインダ画面上で観察される焦点検出枠４０ａ〜４０ｇは、図８における焦点検出枠４０ａ〜４０ｇの配置に対して左右が反転した位置関係となる。
【００８０】
　スーパーインポーズ照明用のＬＥＤ３９から照明光は、各焦点検出枠内の反射面領域４０ｈ、４０ｉ、４０ｊ、４０ｋ、４０ｌ、４０ｍ、４０ｎに対して、これらの領域をカバーするように、かつ、１つの焦点検出枠の周囲に配置された焦点検出枠の反射領域を照明しないような光束で投光されている。
【００８１】
　そして、スーパーインポーズ照明用のＬＥＤ３９からの照明光における余剰分の光によって焦点検出枠４０ａ〜４０ｇを構成するプリズムが無意味に光らないように、このプリズム稜線がＬＥＤ３９の照明光の光軸に対して略平行となるように形成されている。
【００８２】
　ここで、焦点検出枠４０ａ〜４０ｇのプリズムは被写体光Ｌの一部を透過させるので、このプリズムを通過した被写体光Ｌは、フォーカシングスクリーン４０における焦点検出枠周囲のマット部を通過する被写体光Ｌより暗い半透過状態として撮影者に観察される。これにより、撮影者はファインダ画面において焦点検出枠４０ａ〜４０ｇを判別することができる。
【００８３】
　一方、各焦点検出枠４０ａ〜４０ｇの枠線の一辺上に設けられた反射領域４０ｈ〜４０ｎの表面には、例えばアルミニウムやクロムといった金属による反射蒸着処理が施されている。このため、反射領域４０ｈ〜４０ｎにおいては、被写体光Ｌを透過することがほとんどない。したがって、反射領域４０ｈ〜４０ｎは、ファインダ画面において黒点として認識される。
【００８４】
　これにより、撮影者がファインダを覗いてスーパーインポーズ表示のない通常の被写体像を観察する場合には、上述したように反射領域４０ｈ〜４０ｎが黒点として認識されるだけであるため、従来技術のように被写体像が見づらくなることもない。
【００８５】
　この反射領域４０ｈ〜４０ｎは、ＬＥＤ３９からの照明光を反射させるときには、ファインダを覗く撮影者に対して認識し易いものである必要があり、また、撮影者が被写体画像を通常の状態で観察するときには反射領域４０ｈ〜４０ｎが観察の邪魔にならないようになっている必要がある。したがって、反射領域４０ｈ〜４０ｎの大きさは、上述した条件を満たす大きさである必要がある。具体的には、反射領域４０ｈ〜４０ｎの大きさをφ０．２ｍｍ未満とすることが好ましい。
【００８６】
　図９において、ファインダ画面の下側には、シャッタースピードや絞り、閃光発光装置の充電完了表示などの撮影に関して必要な情報を表示するファインダ内情報表示部がある。
【００８７】
　本実施例では、半透過の焦点検出枠４０ａ〜４０ｇの枠線の一部を切断し、この切断された領域に反射領域４０ｈ〜４０ｎを配置しているため、ファインダを覗く撮影者にとっては、焦点検出枠４０ａ〜４０ｇおよび反射領域４０ｈ〜４０ｎを１つの枠として見ることができる。このため、通常のファインダ観察時においても違和感なく被写体像を観察することができる。
【００８８】
　本発明は、上述した実施例だけに限定されるものではない。本実施例では、フォーカシングスクリーンに直接反射領域を形成したが、フォーカシングスクリーン近傍に、スーパーインポーズのＬＥＤ光を撮影者の目の方向に反射するような反射面領域を持つ反射板を別に設けることで、この反射板における反射を利用するようにしてもよい。
【図面の簡単な説明】
【００８９】
【図１】実施例１におけるカメラの中央縦断面図。
【図２】実施例１のカメラにおけるスーパーインポーズの照明系を説明するための分解斜視図。
【図３】実施例１のカメラにおける斜視図と中央焦点検出枠の拡大図。
【図４】実施例１のカメラにおける斜視図と左焦点検出枠の拡大図。
【図５】実施例１のカメラにおけるファインダ視野内を示す図。
【図６】実施例１における反射領域の拡大図。
【図７】実施例１における中央焦点検出枠の反射領域の縦断面拡大図。
【図８】実施例２における斜視図と中央焦点検出枠の拡大図。
【図９】実施例２のカメラにおけるファインダ視野内を示す図。
【符号の説明】
【００９０】
１：カメラ本体、２：メインミラー、３：フォーカシングスクリーン、
３ａ〜３ｇ：焦点検出枠、３ｈ〜３ｎ：反射領域、４：中空ペンタ、
５：第３反射ミラー、６：接眼レンズ群、
７：フォーカルプレーンシャッター、
８：測光レンズ、９：測光センサ、１０：ファインダ内情報表示用ＬＣＤ、
１１：ファインダ内情報表示用ＬＥＤ、１２：三角プリズム、
１３：サブミラー、１５：焦点検出装置、１７：アクセサリシュー、
２０：内蔵閃光発光装置の発光部、
３０：スーパーインポーズ照明用ＬＥＤ、
３０ａ：ＬＥＤ−Ｃ、３０ｂ：ＬＥＤ−Ｌ１、３０ｃ：ＬＥＤ−Ｌ２、
３０ｄ：ＬＥＤ−Ｒ１、３０ｅ：ＬＥＤ−Ｒ２、３０ｆ：ＬＥＤ−Ｔ、
３０ｇ：ＬＥＤ−Ｂ、
３１：拡散板、３２：絞り、３３：スーパーインポーズ用プリズム、
３９ａ：ＬＥＤ−Ｃ、３９ｂ：ＬＥＤ−Ｌ１、３９ｃ：ＬＥＤ−Ｌ２、
３９ｄ：ＬＥＤ−Ｒ１、３９ｅ：ＬＥＤ−Ｒ２、３９ｆ：ＬＥＤ−Ｔ、
３９ｇ：ＬＥＤ−Ｂ
４０ａ〜４０ｇ：焦点検出枠、４０ｈ〜４０ｎ：反射領域
【図１】
2004102318.tif 000003
【図２】
2004102318.tif 000004
【図３】
2004102318.tif 000005
【図４】
2004102318.tif 000006
【図５】
2004102318.tif 000007
【図６】
2004102318.tif 000008
【図７】
2004102318.tif 000009
【図８】
2004102318.tif 000010
【図９】
2004102318.tif 000011